(57)【要約】【課題】電源オフ時に背面カバーを開放できないようにする。【解決手段】本体１１の背面にはロックピン５８と移動制御機構６０が設けられ、背面カバー３０にはロック孔５４を有するロック板５２が設けられている。ロックピン５８は、ロック孔５４に挿通され、背面カバー３０を開放不可能にするロック位置と、ロック孔５４から引き抜かれ、背面カバー３０を開放可能にするロック解除位置との間で移動自在に設けられている。移動制御機構６０は、電源がオンされている間通電されるソレノイドコイル６６を備えている。ロックピン５８は、電源がオンされると、ソレノイド６６の形成する磁界によりロック解除位置に移動する。また、ロックピン５８は、電源がオフされると、自重によりロック位置に移動する。【選択図】図４
2008079787.tif 000002
【特許請求の範囲】
【請求項１】
制御基板及び前記制御基板に遊技機の各部を接続するためのハーネスを覆う閉じ位置と、前記制御基板及び前記ハーネスを露呈させる開き位置との間で移動自在の背面カバーを備えた遊技機において、
前記背面カバーを前記閉じ位置に係止するロック位置と、前記係止を解除するロック解除位置との間で移動自在に設けられたロック部材と、
遊技機の電源がオフされた際に前記ロック部材を前記ロック位置へ移動させ、遊技機の電源がオンされた際に前記ロック部材を前記ロック解除位置へ移動させる移動制御機構とを備えたことを特徴とする遊技機。
【請求項２】
前記背面カバーに、ロック孔を設けるとともに、
前記ロック部材をロッド状に形成し、このロック部材を前記背面カバーの開閉方向に略垂直な方向から前記ロック孔に挿通することによって前記背面カバーを前記閉じ位置に係止することを特徴とする請求項１記載の遊技機。
【請求項３】
前記ロック孔は、水平面に設けられ、
前記ロック部材は、鉛直方向に移動自在に設けられるとともに、
前記移動制御機構は、遊技機の電源オンに伴って通電されて磁界を形成し、前記ロック部材を前記ロック孔から引き抜く方向に移動させるソレノイドを備えており、遊技機の電源がオフされた際に前記ロック部材をこのロック部材の自重より前記ロック位置に移動させ、遊技機の電源がオンされた際に前記ソレノイドの形成する磁界により前記ロック部材を前記ロック解除位置に移動させることを特徴とする請求項２記載の遊技機。
【発明の詳細な説明】
【技術分野】
【０００１】
本発明は、パチンコ機やスロットマシンなどの遊技機に関するものである。
【背景技術】
【０００２】
パチンコ機やスロットマシンなどの遊技機は、遊技の進行を管理するための制御基板が設けられており、この制御基板に遊技機の各部から延びるハーネスが接続されている。制御基板やハーネスは、遊技機の背面側に設けられ、背面カバーにより覆われている。しかし、最近では、背面カバーを取り外し、制御基板やハーネスを改造するといった不正が発生しており問題となっている。
【０００３】
パチンコ店の営業中は遊技機の電源がオンされているため、上述した不正行為が行われると遊技機がこれをエラーとして検知するので、不正を迅速に発見でき、被害を最小限に抑えることが可能である。しかし、閉店後や休業日は遊技機の電源がオフされているので、この間に遊技店に侵入した者が不正行為をおこなった場合、遊技機はこれをエラーとして検出できず、不正の発見が遅れ、被害が大きくなってしまう。
【０００４】
下記特許文献１には、遊技機本体から遊技盤を取り外せないように封印処理する技術が記載されている。この従来技術では、ロックキーにより遊技機本体に遊技盤を固定する封印処理を施すとともに、このロックキーを壊すことによって前記封印を解除することができる。この従来技術を応用し、背面カバーを取り外せないようにすれば、制御基板やハーネスを改造するといった不正行為を防止できる。
【特許文献１】特開２００５−０１３５４５号公報
【発明の開示】
【発明が解決しようとする課題】
【０００５】
しかしながら、上記従来技術を応用して背面カバーに封印処理を施した場合、背面カバーを取り外すためには、ロックキーを壊す必要があり、遊技店の従業員が遊技機の清掃やメンテナンスを行う時であっても手軽に背面カバーを開放できないという欠点がある。
【０００６】
本発明は、上記問題点を考慮してなされたものであり、清掃やメンテナンスの際には背面カバーを手軽に開放できるようにしながらも制御基板やハーネスを改造するといった不正行為を防止できる遊技機を提供することを目的とする。
【課題を解決するための手段】
【０００７】
上記目的を達成するために本発明の遊技機は、制御基板及び前記制御基板に遊技機の各部を接続するためのハーネスを覆う閉じ位置と、前記制御基板及び前記ハーネスを露呈させる開き位置との間で移動自在の背面カバーを備えた遊技機において、前記背面カバーを前記閉じ位置に係止するロック位置と、前記係止を解除するロック解除位置との間で移動自在に設けられたロック部材と、遊技機の電源がオフされた際に前記ロック部材を前記ロック位置へ移動させ、遊技機の電源がオンされた際に前記ロック部材を前記ロック解除位置へ移動させる移動制御機構とを備えたことを特徴としている。
【０００８】
前記背面カバーに、ロック孔を設けるとともに、前記ロック部材をロッド状に形成し、このロック部材を前記背面カバーの開閉方向に略垂直な方向から前記ロック孔に挿通することによって前記背面カバーを前記閉じ位置に係止してもよい。
【０００９】
前記ロック孔は、水平面に設けられ、前記ロック部材は、鉛直方向に移動自在に設けられるとともに、前記移動制御機構は、遊技機の電源オンに伴って通電されて磁界を形成し、前記ロック部材を前記ロック孔から引き抜く方向に移動させるソレノイドを備えており、遊技機の電源がオフされた際に前記ロック部材をこのロック部材の自重より前記ロック位置に移動させ、遊技機の電源がオンされた際に前記ソレノイドの形成する磁界により前記ロック部材を前記ロック解除位置に移動させてもよい。
【発明の効果】
【００１０】
本発明によれば、遊技機の電源がオンされているときは背面カバーを開放することができるので、清掃やメンテナンスなどの際に便利である。また、メンテナンスの際にハーネスの脱着などを行う場合、電源をオンしたままでは制御基板に設けられた電気回路にダメージを及ぼす恐れがあるが、このような場合、背面カバーを開放した状態で電源をオフすれば安全にメンテナンスを行うことができる。さらに、背面カバーを閉じた状態で電源をオフすれば、背面カバーを開放することができないので、閉店後や休業日に制御基板やハーネスを改造するといった不正行為を防止できる。
【００１１】
また、背面カバーにロック孔を設け、背面カバーの開閉方向に略垂直な方向からロッド上のロック部材をロック孔に挿通することによって背面カバーを閉じ位置に係止するようにすれば、背面カバーの開放を確実に係止できる。
【００１２】
さらに、遊技機の電源がオフされた際にロック部材を自重よりロック位置に移動させ、遊技機の電源がオンされた際にソレノイドによりロック部材をロック解除位置に移動させるようにすれば、ロック部材をロック位置へ移動させるためのバネやモータなどが必要ないので構成が簡単でありコストを抑えることができる。
【発明を実施するための最良の形態】
【００１３】
図１において、パチンコ機（遊技機）１０は、本体１１の前面に、透明なガラス窓１２を有する前面扉１３を備えている。ガラス窓１２の後側には、遊技球が一球ずつ打ち出される遊技領域１４が設けられている。遊技領域１４にはアウト口と複数の入賞口が設けられている。遊技球が入賞口に入賞すると、決められた個数の遊技球が賞球として払い出される。
【００１４】
遊技領域１４の中央部には液晶表示装置１５が設けられている。液晶表示装置１５の下方には始動入賞口１６が設けられている。始動入賞口１６に遊技球が入賞すると、賞球の払い出しが行われ、乱数を用いた大当たり抽選が行われる。液晶表示装置１５は、例えば複数の同じ図柄が一列に揃うか否かによって大当たり抽選の結果を表示する。大当たりに当選すると、遊技球が入賞しやすい大入賞口に遊技球を入賞させることができ、多数の遊技球を獲得できる遊技を行うことができる。前面扉１３の上部には、スピーカ１７が設けられている。遊技が行われている間は、大当たりへの期待度を高める演出として、液晶表示装置１５には期待度に応じた演出画像が表示され、スピーカ１７から期待度を高める効果音が発せられる。
【００１５】
ガラス窓１２の下方には、遊技領域１４に打ち出される遊技球を発射装置に供給する供給皿１８が設けられている。供給皿１８の左側には、賞球が払い出される賞球払い出し口１９が設けられている。供給皿１８の右下方には、遊技球を打ち出す際に操作され、遊技球を打ち出す強さを調節するためのハンドル２０が設けられている。
【００１６】
図２、図３において、パチンコ機１０の背面側には、賞球として払い出される遊技球を貯留する貯留皿２４が設けられている。貯留皿２４に貯留された遊技球は、賞球通路２５から賞球払い出し装置２６に送られる。賞球通路２５の下方には、背面カバー３０が設けられている。背面カバー３０は、本体１１の背面に軸着されて、図２に示す閉じ位置と、図３に示す開き位置との間で回動自在に設けられている。閉じ位置は本体１１の背面を覆う位置であり、通常、背面カバー３０はネジ３２により本体１１にネジ止めされてこの閉じ位置に保持されている。一方、開き位置は本体１１の背面を露呈させる位置であり、メンテナンスや清掃の際、背面カバー３０はこの開き位置に移動される。
【００１７】
本体１１の背面には、メイン基板収納ケース３４とサブ基板収納ケース３６が設けられている。メイン基板収納ケース３４には、電子抽選や賞球の払い出し等を管理し、遊技の流れを制御する制御回路が設けられたメイン制御基板（制御基板）３８が収納されている。そして、メイン制御基板３８には、始動入賞口１６とその他の入賞口に遊技球が入賞した際に入賞検知信号を入力するためのハーネス４０が接続されている。サブ基板収納ケース３６には、液晶表示装置１５に表示する演出用のグラフィック画像を記憶したメモリや、画像再生用の回路等を有するサブ制御基板４２が収納されている。
【００１８】
また、本体１１の背面にはロック機構５０が設けられ、背面カバー３０にはロック板５２が設けられている。ロック板５２は、板面が水平になるように背面カバー３０に固定されており、板面の略中央部にはロック孔５４が形成されている。ロック板５２は、背面カバー３０が閉じ位置にあるとき、ロック孔５４がロック機構５０の下方に位置するように、その設置位置が調節されている。
【００１９】
図４において、ロック機構５０は、ロックピン（ロック部材）５８と、このロックピン５８を同図（Ａ）に示すロック位置と同図（Ｂ）に示すロック解除位置との間で移動させる移動制御機構６０とから構成される。ロック位置は、ロックピン５８を移動制御機構６０の下方に突出させた位置であり、ロック解除位置は、ロックピン５８を前述したロック位置から上方へ引き上げた位置である。背面カバー３０が閉じ位置にあるときにロックピン５８がロック位置へ移動されると、ロックピン５８がロック孔５４に挿通されて背面カバー３０が閉じ位置に係止される。これにより、背面カバー３０を開き位置に移動させることが不可能になる。反対に、ロックピン５８がロック解除位置へ移動されると、背面カバー３０の係止が解除されるので、背面カバー３０を開き位置へ移動させることが可能となる。
【００２０】
移動制御機構６０は、本体１１の背面に固定されたケース６２、並びに、このケース６２に収められたプランジャ６４とソレノイドコイル（ソレノイド）６６とから構成される。プランジャ６４は、円柱形状の磁性体（例えば、磁石）から構成され、下端にロックピン５８が取り付けられている。ソレノイドコイル６６は、プランジャ６４を取り巻くように配置され、通電されることで磁界を形成し、プランジャ６４を上方へ移動させる。ソレノイドコイル６６は、パチンコ機１０の各部に電力を供給する電源部６８に接続されている。電源部６８は、パチンコ機１０の電源がオンされるとソレノイドコイル６６への通電を開始し、パチンコ機１０の電源がオフされるとソレノイドコイル６６への通電を停止する。
【００２１】
ソレノイドコイル６６への通電が停止されると、すなわち、パチンコ機１０の電源がオフされると、ロックピン５８が自重によりロック位置へ移動する。また、ソレノイドコイル６６への通電が開始されると、すなわち、パチンコ機１０の電源がオンされると、ソレノイドコイル６６の形成する磁界によりプランジャ６４が上方へ移動する。そして、このプランジャ６４の移動に伴ってロックピン５８がロック解除位置へ移動する。
【００２２】
以下、上記構成による本発明の作用について、図５に示すフローチャートをもとに説明する。パチンコ店では、開店時にパチンコ機１０の電源がオンされる。これにより、ロックピン５８がロック解除位置に移動するので、ネジ３２を外して背面カバー３０を開き位置へ移動させ、パチンコ機１０の背面側の清掃やメンテナンスを行うことができる。また、パチンコ店では、閉店時にパチンコ機１０の電源がオフされる。これにより、ロックピン５８がロック位置に移動するので、ネジ３２を外しても背面カバー３０を開き位置へ移動させることが不可能となり、閉店後にパチンコ店に侵入した者に制御基板やハーネスを改造されてしまうといったこともない。
【００２３】
なお、メンテナンスの際に、例えば、ハーネス４０を外すなど、電源をオンしたままではパチンコ機１０の電気回路などにダメージを及ぼす恐れのあるときは、電源をオンして背面カバー３０を開き位置へ移動させた後、電源をオフすればよい。この状態でメンテナンスを行うことで、パチンコ機１０にダメージを与えることなく安全にメンテナンスを行うことができる。
【００２４】
なお、本発明は、電源オン時には背面カバーの開放を可能とし、電源オフ時に背面カバーの開放を不可能にできればよいので、細部の構成は上記実施形態に限定されず適宜変更することができる。例えば、上記実施形態では、鉛直方向に移動するロックピンにより背面カバーを閉じ位置に係止する例で説明をしたが、水平方向に移動するロックピンにより背面カバーを閉じ位置に係止してもよい。この場合、ロック板を鉛直方向に設ける。また、この場合、ロックピンが自重によりロック位置へ移動できないので、ロックピンをロック位置へ移動させるためのバネなどを設ける。
【００２５】
また、上記実施形態では、ロックピンにより背面カバーを閉じ位置に係止する例で説明をしたが、例えば、図６に示すロックアーム７０により背面カバー７２を閉じ位置に係止してもよい。図６において、背面カバー７２には断面が略Ｌ字型の受け部７４が設けられており、ロックアーム７０は、この受け部７４と係合するように、先端側が鉤型に形成されている。ロックアーム７０は、基端部がパチンコ機の本体に軸着され、移動制御機構７６により回動される。
【００２６】
移動制御機構７６は、円筒形状のギア７８と、このギア７８に直結されたモータ８０とを備えている。ギア７８の周面には、ロックアーム７０の基端部に形成された歯列８２と歯合する螺旋状のギア溝が形成されている。モータ８０は、パチンコ機全体を統括的に制御するＣＰＵ８４により駆動されて正転または逆転される。モータ８０が正転することで、この駆動力がギア７８を介してロックアーム７０に伝達され、ロックアーム７０が図６に実線で示すロック位置へ移動する。また、モータ８０が逆転することで、ロックアーム７０が図６に破線で示すロック解除位置へ移動する。
【００２７】
図７に示すように、ＣＰＵ８４は、パチンコ機の電源がオンされるとこれを検知し、モータ８０を逆転させてロックアーム７０をロック解除位置へ移動させる。これにより、背面カバー７２を開き位置へ移動させることが可能となる。また、ＣＰＵ８４は、パチンコ機の電源をオフする操作がなされるとこれを検知し、電源をオフする前にモータ８０を正転させてロックアーム７０をロック位置へ移動させる。これにより、背面カバー７２を開き位置へ移動させることが不可能となる。
【００２８】
このような構成によっても上記実施形態と同様の効果を得ることができる。また、本構成によれば、ロックアームを移動するときにのみ電力を消費し、ロックアームを移動先で保持するために電力を消費することがない。このため、上記実施形態のように、ソレノイドコイルへの通電を継続することによりロックピンをロック解除位置に保持する場合と比較して消費電力を軽減できる。
【００２９】
なお、上記実施形態では、本発明をパチンコ機に適用する例で説明をしたが、本発明は、開閉式の背面カバーを備えた遊技機であれば、パチンコ機に限定されず、スロットマシン等の他の遊技機に適用することが可能である。
【図面の簡単な説明】
【００３０】
【図１】パチンコ機の正面側斜視図である。
【図２】背面カバーが閉じ位置に移動された状態を示すパチンコ機の背面側斜視図である。
【図３】背面カバーが開き位置に移動された状態を示すパチンコ機の背面側斜視図である。
【図４】ロックピンがロック位置とロック解除位置との間で移動する様子を示す説明図である。
【図５】パチンコ機の電源のオンオフによりロック状態とロック解除状態とが切り替えられる様子を示すフローチャートである。
【図６】ロックアームにより背面カバーを閉じ位置に係止する例を示す説明図である。
【図７】パチンコ機の電源のオンオフによりロック状態とロック解除状態とが切り替えられる様子を示すフローチャートである。
【符号の説明】
【００３１】
１０  パチンコ機（遊技機）
１１  本体
３０、７２  背面カバー
３８  メイン制御基板（制御基板）
４０  ハーネス
５０  ロック機構
５２  ロック板
５４  ロック孔
５８  ロックピン（ロック部材）
６０、７６  移動制御機構
６６  ソレノイドコイル（ソレノイド）
６８  電源部
７０  ロックアーム（ロック部材）
７４  受け部
８４  ＣＰＵ
【図１】
2008079787.tif 000003
【図２】
2008079787.tif 000004
【図３】
2008079787.tif 000005
【図４】
2008079787.tif 000006
【図５】
2008079787.tif 000007
【図６】
2008079787.tif 000008
【図７】
2008079787.tif 000009